(57)【特許請求の範囲】
【請求項１】
携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定手段と、
前記留守番電話機能を利用することが設定された場合、携帯電話機自身に設けられるボタンを操作して入力された、着信音を出力するモードである発呼モードに切り替えるためのパスワードを記録するパスワード記録手段と、
前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録手段と、
前記留守番電話機能を利用することが設定されている場合において、発信してきた電話機から送信されたパスワードが、前記パスワード記録手段により記録されているパスワードと一致するとき、または、前記留守番伝言サービスを利用することが設定されている場合において、前記条件記録手段により記録されている条件に合致するとき、携帯電話機自身のモードを前記発呼モードに切り替えるように制御する制御手段と、
前記発呼モードが設定されている場合の着信音として、前記発呼モードが設定されていない場合の着信音と異なる音を出力する出力手段と、
前記発呼モードが設定されている場合の着信音が前記出力手段により出力された後、携帯電話機自身の発信機能を停止する発信機能停止手段と
を備える携帯電話機。
【請求項２】
携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定ステップと、
前記留守番電話機能を利用することが設定された場合、携帯電話機自身に設けられるボタンを操作して入力された、着信音を出力するモードである発呼モードに切り替えるためのパスワードを記録するパスワード記録ステップと、
前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録ステップと、
前記留守番電話機能を利用することが設定されている場合において、発信してきた電話機から送信されたパスワードが、前記パスワード記録ステップの処理により記録されているパスワードと一致するとき、または、前記留守番伝言サービスを利用することが設定されている場合において、前記条件記録ステップの処理により記録されている条件に合致するとき、携帯電話機自身のモードを前記発呼モードに切り替えるように制御する制御ステップと、
前記発呼モードが設定されている場合の着信音として、前記発呼モードが設定されていない場合の着信音と異なる音を出力する出力ステップと、
前記発呼モードが設定されている場合の着信音が前記出力ステップの処理により出力された後、携帯電話機自身の発信機能を停止する発信機能停止ステップと
を含む、携帯電話機の通信方法。
【請求項３】
携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定ステップと、
前記留守番電話機能を利用することが設定された場合、携帯電話機自身に設けられるボタンを操作して入力された、着信音を出力するモードである発呼モードに切り替えるためのパスワードを記録するパスワード記録ステップと、
前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録ステップと、
前記留守番電話機能を利用することが設定されている場合において、発信してきた電話機から送信されたパスワードが、前記パスワード記録ステップの処理により記録されているパスワードと一致するとき、または、前記留守番伝言サービスを利用することが設定されている場合において、前記条件記録ステップの処理により記録されている条件に合致するとき、携帯電話機自身のモードを前記発呼モードに切り替えるように制御する制御ステップと、
前記発呼モードが設定されている場合の着信音として、前記発呼モードが設定されていない場合の着信音と異なる音を出力する出力ステップと、
前記発呼モードが設定されている場合の着信音が前記出力ステップの処理により出力された後、携帯電話機自身の発信機能を停止する発信機能停止ステップと
を含む処理をコンピュータに実行させるプログラムが記録されている記録媒体。
【請求項４】
携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定ステップと、
前記留守番電話機能を利用することが設定された場合、携帯電話機自身に設けられるボタンを操作して入力された、着信音を出力するモードである発呼モードに切り替えるためのパスワードを記録するパスワード記録ステップと、
前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録ステップと、
前記留守番電話機能を利用することが設定されている場合において、発信してきた電話機から送信されたパスワードが、前記パスワード記録ステップの処理により記録されているパスワードと一致するとき、または、前記留守番伝言サービスを利用することが設定されている場合において、前記条件記録ステップの処理により記録されている条件に合致するとき、携帯電話機自身のモードを前記発呼モードに切り替えるように制御する制御ステップと、
前記発呼モードが設定されている場合の着信音として、前記発呼モードが設定されていない場合の着信音と異なる音を出力する出力ステップと、
前記発呼モードが設定されている場合の着信音が前記出力ステップの処理により出力された後、携帯電話機自身の発信機能を停止する発信機能停止ステップと
を含む処理をコンピュータに実行させるプログラム。
【発明の詳細な説明】
【０００１】
【発明の属する技術分野】
本発明は、携帯電話機および通信方法、記録媒体、並びにプログラムに関し、特に、例えば、マナーモードで携帯電話機を紛失した場合に、発呼モードに切り替えることができるようにした携帯電話機および通信方法、記録媒体、並びにプログラムに関する。
【０００２】
【従来の技術】
近年、携帯電話機（PHS（Personal Handyphone System）を含む）が普及してきた。この携帯電話機においては、ユーザの都合にかかわらず着信するため、通常、会議中あるいは運転中などで電話に出ることができない場合、留守番電話モード、マナーモード、あるいは、ドライブモードなどの着信音が鳴らないモードに設定される。
【０００３】
【発明が解決しようとする課題】
しかしながら、上記モードに設定してある状態で携帯電話機を紛失してしまった場合、着信音が鳴らないため、その携帯電話機を呼び出して本体を発見することは不可能である。従って、そのような場合には、携帯電話機の所有者は、肉眼で本体を発見する方法しかない。
【０００４】
ところで、昨今の携帯電話機の購入（加入）に際し、本体の値下がりによる販売業者の都合上、購入者は、携帯電話機の購入から６ヶ月の期間（以下、解約制限期間と称する）は解約することができない仕組みになっている。そのため、購入者は、解約制限期間内に紛失あるいは全損した場合に備えて、保険に加入することもある。
【０００５】
現状では、携帯電話機の紛失が確定した場合、所有者は、携帯電話機を解約するしか方法がなく、さらに、解約制限期間内には、解約することもできない。
【０００６】
このように、解約制限期間内に携帯電話機を紛失してしまうと、携帯電話機の利用料を無駄に支払うことになる。
【０００７】
そこで、PHSにおいては、電波の届く範囲内であれば、その本体の所在地を検索し、地図で表示することができるサービスも登場している。
【０００８】
しかしながら、現状の携帯電話機においては、PHSと電波形態が異なるため、高精度な所在地の検索は不可能である。
【０００９】
本発明はこのような状況に鑑みてなされたものであり、着信音が鳴らないモードに設定されている状態で携帯電話機を紛失した場合に、その携帯電話機の所有者のみが発呼モードに切り替えることができるようにするものである。
【００１０】
【課題を解決するための手段】
本発明の携帯電話機は、携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定手段と、前記留守番電話機能を利用することが設定された場合、携帯電話機自身に設けられるボタンを操作して入力された、着信音を出力するモードである発呼モードに切り替えるためのパスワードを記録するパスワード記録手段と、前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録手段と、前記留守番電話機能を利用することが設定されている場合において、発信してきた電話機から送信されたパスワードが、前記パスワード記録手段により記録されているパスワードと一致するとき、または、前記留守番伝言サービスを利用することが設定されている場合において、前記条件記録手段により記録されている条件に合致するとき、携帯電話機自身のモードを前記発呼モードに切り替えるように制御する制御手段と、前記発呼モードが設定されている場合の着信音として、前記発呼モードが設定されていない場合の着信音と異なる音を出力する出力手段と、前記発呼モードが設定されている場合の着信音が前記出力手段により出力された後、携帯電話機自身の発信機能を停止する発信機能停止手段とを備える。
【００１１】
本発明の通信方法は、携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定ステップと、前記留守番電話機能を利用することが設定された場合、携帯電話機自身に設けられるボタンを操作して入力された、着信音を出力するモードである発呼モードに切り替えるためのパスワードを記録するパスワード記録ステップと、前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録ステップと、前記留守番電話機能を利用することが設定されている場合において、発信してきた電話機から送信されたパスワードが、前記パスワード記録ステップの処理により記録されているパスワードと一致するとき、または、前記留守番伝言サービスを利用することが設定されている場合において、前記条件記録ステップの処理により記録されている条件に合致するとき、携帯電話機自身のモードを前記発呼モードに切り替えるように制御する制御ステップと、前記発呼モードが設定されている場合の着信音として、前記発呼モードが設定されていない場合の着信音と異なる音を出力する出力ステップと、前記発呼モードが設定されている場合の着信音が前記出力ステップの処理により出力された後、携帯電話機自身の発信機能を停止する発信機能停止ステップとを含む。
【００１２】
本発明の記録媒体に記録されているプログラムは、携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定ステップと、前記留守番電話機能を利用することが設定された場合、携帯電話機自身に設けられるボタンを操作して入力された、着信音を出力するモードである発呼モードに切り替えるためのパスワードを記録するパスワード記録ステップと、前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録ステップと、前記留守番電話機能を利用することが設定されている場合において、発信してきた電話機から送信されたパスワードが、前記パスワード記録ステップの処理により記録されているパスワードと一致するとき、または、前記留守番伝言サービスを利用することが設定されている場合において、前記条件記録ステップの処理により記録されている条件に合致するとき、携帯電話機自身のモードを前記発呼モードに切り替えるように制御する制御ステップと、前記発呼モードが設定されている場合の着信音として、前記発呼モードが設定されていない場合の着信音と異なる音を出力する出力ステップと、前記発呼モードが設定されている場合の着信音が前記出力ステップの処理により出力された後、携帯電話機自身の発信機能を停止する発信機能停止ステップとを含む処理をコンピュータに実行させる。
【００１３】
本発明のプログラムは、携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かを、ユーザによる選択に応じて設定する設定ステップと、前記留守番電話機能を利用することが設定された場合、携帯電話機自身に設けられるボタンを操作して入力された、着信音を出力するモードである発呼モードに切り替えるためのパスワードを記録するパスワード記録ステップと、前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件を記録する条件記録ステップと、前記留守番電話機能を利用することが設定されている場合において、発信してきた電話機から送信されたパスワードが、前記パスワード記録ステップの処理により記録されているパスワードと一致するとき、または、前記留守番伝言サービスを利用することが設定されている場合において、前記条件記録ステップの処理により記録されている条件に合致するとき、携帯電話機自身のモードを前記発呼モードに切り替えるように制御する制御ステップと、前記発呼モードが設定されている場合の着信音として、前記発呼モードが設定されていない場合の着信音と異なる音を出力する出力ステップと、前記発呼モードが設定されている場合の着信音が前記出力ステップの処理により出力された後、携帯電話機自身の発信機能を停止する発信機能停止ステップとを含む処理をコンピュータに実行させる。
【００１４】
本発明においては、携帯電話機自身が着信を受け、発信してきた電話機からの音声を録音する留守番電話機能を利用するか否かと、公衆回線網を介して接続されるサービスセンタの装置が着信を受け、発信してきた電話機からの音声を録音する留守番伝言サービスを利用するか否かが、ユーザによる選択に応じて設定される。また、前記留守番電話機能を利用することが設定された場合、携帯電話機自身に設けられるボタンを操作して入力された、着信音を出力するモードである発呼モードに切り替えるためのパスワードが記録され、前記留守番伝言サービスを利用することが設定された場合、前記発呼モードに切り替えるための条件として選択された、所定の時間以上発信がない場合に切り替える第１の条件、所定の時間以上着信がない場合に切り替える第２の条件、および、一定の時間内に所定の回数以上着信があった場合に切り替える第３の条件のうちのいずれかの条件が記録される。前記留守番電話機能を利用することが設定されている場合において、発信してきた電話機から送信されたパスワードが、記録されているパスワードと一致するとき、または、前記留守番伝言サービスを利用することが設定されている場合において、記録されている条件に合致するとき、携帯電話機自身のモードが前記発呼モードに切り替えるように制御され、前記発呼モードが設定されている場合の着信音として、前記発呼モードが設定されていない場合の着信音と異なる音が出力され、その後、携帯電話機自身の発信機能が停止される。
【００２９】
【発明の実施の形態】
以下、図を参照して、本発明の実施の形態について説明する。
【００３０】
図１は、本発明を適用した携帯電話機の利用例を示す図である。携帯電話機１は、基地局２を介して公衆回線網３に接続されている。また、公衆回線網３には、電話機４、および、留守番サービスセンタ５がそれぞれ接続されている。
【００３１】
携帯電話機１は、公衆回線網３および基地局２を介して電話機４より発信されたとき、例えば、呼び出しベルを鳴らしたり、あるいは、バイブレータを作動させたりして、着信を所有者に知らせる。
【００３２】
基地局２は、移動無線端末である携帯電話機１を、例えば、W-CDMA（Wideband code-division multiple access）と呼ばれる符号分割多元接続により無線接続し、携帯電話機１と２GHzの周波数帯域を利用して最大２Mbpsのデータ転送速度で大容量データを高速にデータ通信できる。
【００３３】
携帯電話機１は、基地局２とW-CDMA方式により大容量データを高速にデータ通信できるので、音声通話に限らず、電子メールの送受信、簡易ホームページの閲覧、または画像の送受信等の多種におよぶデータ通信を実行することができる。
【００３４】
留守番サービスセンタ５は、携帯電話機１が留守番伝言サービスを利用している場合に、その携帯電話機１に着信があったときに発信者（例えば、電話機４）により録音されるメッセージを蓄積する。留守番サービスセンタ５はまた、携帯電話機１からの要求に基づいて、蓄積されているメッセージを、公衆回線網３および基地局２を介して携帯電話機１に送信（提供）する。
【００３５】
図２は、図１に示された携帯電話機１の外観の構成例を示す図である。同図に示されるように、携帯電話機１は、表示部２２および本体２３で構成され、中央のヒンジ部２１により折り畳み可能に形成されている。
【００３６】
表示部２２は、上端左部に引出しまたは収納可能な送受信用のアンテナ３１を有する。携帯電話機１は、アンテナ３１を介して、固定無線端末である基地局２との間で電波を送受信する。
【００３７】
また、表示部２２は、上端中央部にほぼ１８０度の角度範囲で回動自在なカメラ部３２を有する。携帯電話機１は、カメラ部３２のCCDカメラ３３によって所望の撮像対象を撮像する。
【００３８】
カメラ部３２が使用者によってほぼ１８０度回動されて位置決めされた場合、図３に示されるように、表示部２２は、カメラ部３２の背面側中央に設けられたスピーカ３４が正面側に位置する状態となる。これにより、携帯電話機１は、通常の音声通話状態に切り換わる。
【００３９】
さらに、本体２３の操作キー４１の上部に回動自在なジョグダイヤル４４が、本体２３の表面から僅かに突出した状態で設けられている。携帯電話機１は、ジョグダイヤル４４に対する回動操作に応じて、液晶ディスプレイ３５に表示されている電話帳リストもしくは電子メールのスクロール動作、簡易ホームページのページ捲り動作、または画像の送り動作等の種々の動作を実行する。
【００４０】
例えば、本体２３は、使用者によるジョグダイヤル４４の回動操作に応じて液晶ディスプレイ３５に表示された電話帳リストの複数の電話番号の中から所望の電話番号を選択し、ジョグダイヤル４４が本体２３の内部方向に押圧されたとき、選択されている電話番号を確定して、確定した電話番号に対して自動的に発呼処理を行う。
【００４１】
なお、本体２３は、背面側に図示しないバッテリパックが装着されており、終話／電源キーがオン状態になると、バッテリパックから各回路部に対して電力が供給されて動作可能な状態に起動する。
【００４２】
ところで、本体２３の左側面上部に抜差自在な、例えば、メモリースティック（商標）などにより構成される半導体メモリ５１を装着するためのスロット４５が設けられている。携帯電話機１は、メモボタン４２が押下されると、通話中の相手の音声を装着されている半導体メモリ５１に記録する。携帯電話機１は、使用者の操作に応じて、電子メール、簡易ホームページ、CCDカメラ３３で撮像した画像を、装着されている半導体メモリ５１に記録する。携帯電話機１はまた、後述する設定処理により設定されるパスワードまたは条件などを半導体メモリ５１に記録する。
【００４３】
メモリースティックは、本出願人によって開発されたフラッシュメモリカードの一種である。このメモリースティックは、縦21.5×横50×厚さ2.8[mm]の小型薄型形状のプラスチックケース内に電気的に書換えや消去が可能な不揮発性メモリであるEEPROM（Electrically Erasable and Programmable Read Only Memory）の一種であるフラッシュメモリ素子を格納したものであり、１０ピン端子を介して画像や音声、音楽等の各種データの書き込み及び読み出しが可能となっている。
【００４４】
またメモリースティックは、大容量化等による内蔵フラッシュメモリの仕様変更に対しても、使用する機器で互換性を確保することができる独自のシリアルプロトコルを採用し、最大書込速度1.5[MB/S]、最大読出速度2.45[MB/S]の高速性能を実現していると共に、誤消去防止スイッチを設けて高い信頼性を確保している。
【００４５】
従って、携帯電話機１は、このようなメモリースティックで構成される半導体メモリ５１を装着可能に構成されているために、半導体メモリ５１を介して、他の電子機器との間でデータの共有化を図ることができる。
【００４６】
図４は、携帯電話機１の内部の構成例を示すブロック図である。
【００４７】
同図に示すように、携帯電話機１は、表示部２２および本体２３の各部を統括的に制御する主制御部６１に対して、電源回路部６５、操作入力制御部６２、画像エンコーダ６３、カメラインターフェース（I/F）部６４、LCD（Liquid Crystal Display）制御部６６、画像デコーダ６７、多重分離部６８、記憶再生部７３、変復調回路部６９、および音声コーデック７０がメインバス７１を介して互いに接続されるとともに、画像エンコーダ６３、画像デコーダ６７、多重分離部６８、変復調回路部６９、および音声コーデック７０が同期バス７２を介して互いに接続されて構成されている。
【００４８】
電源回路部６５は、使用者の操作により終話／電源キーがオン状態にされると、バッテリパックから各部に対して電力を供給することにより携帯電話機１を動作可能な状態に起動する。
【００４９】
携帯電話機１は、CPU（Central Processing Unit）、ROM（Read Only Memory）およびRAM（Random Access Memory）等でなる主制御部６１の制御に基づいて、音声通話モードにおいて、マイクロフォン４３で集音した音声信号を音声コーデック７０によってデジタル音声データに変換する。携帯電話機１は、デジタル音声データを変復調回路部６９でスペクトラム拡散処理し、送受信回路部７４でデジタルアナログ変換処理および周波数変換処理を施した後にアンテナ３１を介して送信する。
【００５０】
また、携帯電話機１は、音声通話モードにおいて、アンテナ３１で受信した受信信号を増幅して周波数変換処理およびアナログデジタル変換処理を施し、変復調回路部６９でスペクトラム逆拡散処理し、音声コーデック７０によってアナログ音声信号に変換する。携帯電話機１は、アナログ音声信号に対応する音声をスピーカ３４に出力させる。
【００５１】
さらに、携帯電話機１は、データ通信モードにおいて、電子メールを送信する場合、操作キー４１およびジョグダイヤル４４の操作によって入力された電子メールのテキストデータを、操作入力制御部６２を介して主制御部６１に送出する。
【００５２】
主制御部６１は、テキストデータを変復調回路部６９でスペクトラム拡散処理し、送受信回路部７４でデジタルアナログ変換処理及び周波数変換処理を施した後に、アンテナ３１を介して基地局２へ送信する。
【００５３】
これに対して、携帯電話機１は、データ通信モードにおいて、電子メールを受信する場合、アンテナ３１を介して基地局２から受信した受信信号を変復調回路部６９でスペクトラム逆拡散処理して、元のテキストデータを復元した後、LCD制御部６６を介して液晶ディスプレイ３５に電子メールとして表示する。
【００５４】
この後、携帯電話機１は、使用者の操作に応じて受信した電子メールを、記録再生部７３を介して半導体メモリ５１に記録することも可能である。
【００５５】
携帯電話機１は、データ通信モードにおいて画像データを送信する場合、CCDカメラ３３で撮像された画像データを、カメラインターフェース部６４を介して画像エンコーダ６３に供給する。
【００５６】
因みに、携帯電話機１は、画像データを送信しない場合には、CCDカメラ３３で撮像した画像データを、カメラインターフェース部６４およびLCD制御部６６を介して液晶ディスプレイ３５に直接表示することも可能である。
【００５７】
画像エンコーダ６３は、CCDカメラ３３から供給された画像データを、例えば、MPEG（Moving Picture Experts Group）２またはMPEG４等の所定の符号化方式によって圧縮符号化することにより符号化画像データに変換し、これを多重分離部６８に送出する。
【００５８】
このとき同時に、携帯電話機１は、CCDカメラ３３で撮像中にマイクロフォン４３で集音した音声を、音声コーデック７０を介してデジタルの音声データとして多重分離部６８に送出する。
【００５９】
多重分離部６８は、画像エンコーダ６３から供給された符号化画像データと音声コーデック７０から供給された音声データとを所定の方式で多重化し、その結果得られる多重化データを変復調回路部６９でスペクトラム拡散処理し、送受信回路部７４でデジタルアナログ変換処理及び周波数変換処理を施した後に、アンテナ３１を介して送信する。
【００６０】
これに対して、携帯電話機１は、データ通信モードにおいて、例えば、簡易ホームページ等にリンクされた動画像ファイルのデータを受信する場合、アンテナ３１を介して基地局２から受信した受信信号を変復調回路部６９でスペクトラム逆拡散処理し、その結果得られる多重化データを多重分離部６８に送出する。
【００６１】
多重分離部６８は、多重化データを符号化画像データと音声データとに分離し、同期バス７２を介して、符号化画像データを画像デコーダ６７に供給するとともに、音声データを音声コーデック７０に供給する。
【００６２】
画像デコーダ６７は、符号化画像データをMPEG２またはMPEG４等の所定の符号化方式に対応した復号方式でデコードすることにより再生動画像データを生成し、これを、LCD制御部６６を介して液晶ディスプレイ３５に供給する。これにより、携帯電話機１は、例えば、簡易ホームページにリンクされた動画像ファイルに含まれる動画データを表示する。
【００６３】
このとき同時に、音声コーデック７０は、音声データをアナログ音声信号に変換した後、これをスピーカ３４に供給する。これにより、携帯電話機１は、例えば、簡易ホームページにリンクされた動画像ファイルに含まる音声データを再生する。
【００６４】
この場合も電子メールの場合と同様に、携帯電話機１は、受信した簡易ホームページ等にリンクされたデータを、使用者の操作により記録再生部７３を介して半導体メモリ５１に記録することが可能である。
【００６５】
なお、主制御部６１のROMには、発呼切り換え設定処理を制御する設定制御プログラム（後述）、着信処理を制御する着信制御プログラム（後述）、アンテナ３１を介して行われる通信を制御する通信制御プログラム、CCDカメラ３３による画像の撮像を制御する撮像制御プログラム、公衆回線網３を介して各サーバにアクセスする動作を制御するブラウザなど、携帯電話機１が各種の処理を実行する上において必要なプログラムが格納されている。
【００６６】
図５は、電話機１の内部の構成例を示すブロック図である。
【００６７】
CPU８１は、ROM８２に記憶されているプログラムに従って各種の処理を実行する。RAM８３には、CPU８１が各種の処理を実行する上において必要なプログラムやデータが適宜記憶される。CPU８１、ROM８２、およびRAM８３は、バス８４を介して相互に接続されているとともに、入出力インターフェース８５にも接続されている。
【００６８】
入出力インターフェース８５には、「０」乃至「９」の数字キーで構成される操作キー８６、ユーザの音声を入力するマイクロフォン８７、発信側の音声あるいは着信音（呼び出しベル）などを出力するスピーカ８８、および、公衆回線網３と通信する通信部８９が接続されている。
【００６９】
次に、以上の実施の形態の動作について説明する。
【００７０】
まず、動作を説明するにあたって、本発明で用いられる、携帯電話機が有する“留守番電話機能”と電話会社側が提供する“留守番伝言サービス”の２種類の留守番電話の形態について説明する。
【００７１】
留守番電話機能では、録音された伝言（メッセージ）が携帯電話機１の半導体メモリ５１などに保存される。留守番電話機能は、伝言１件につき、例えば、１８秒乃至２０秒程度の録音時間に制限されており、かつ、保存できる伝言件数（例えば、３件）も制限されている。
【００７２】
留守番伝言サービスでは、録音された伝言が留守番サービスセンタ５などに保存される。留守番伝言サービスは、留守番電話機能とは異なり、長時間の録音が可能であり、かつ、保存できる伝言件数も多い。
【００７３】
次に、図６のフローチャートを参照して、携帯電話機１の主制御部６１が実行する発呼切り替え設定処理について説明する。
【００７４】
ステップＳ１において、設定制御プログラムを実行する携帯電話機１の主制御部６１は、この携帯電話機１のユーザによって、操作キー４１またはジョグダイヤル４４が用いられ、発呼呼び出し設定画面を表示させるための操作が行われたか否かを判定し、ユーザによって発呼呼び出し設定画面を表示させるための操作が行われるまで待機する。
【００７５】
ステップＳ１において、ユーザによって発呼呼び出し設定画面を表示させるための操作が行われたと判定された場合、ステップＳ２に進み、主制御部６１は、LCD制御部６６を制御し、図７に示されるような発呼呼び出し設定画面を液晶ディスプレイ３５に表示させる。
【００７６】
図７の発呼呼び出し設定画面においては、留守番電話機能の利用時に発呼モードに切り替えるためのパスワードを設定する留守番電話機能利用ボタン１０１、および、留守番伝言サービスの利用時に発呼モードに切り替えるための条件を設定する留守番伝言サービス利用ボタン１０２が表示されている。また、終了ボタン１０３が押下されることにより、この発呼呼び出し設定画面が閉じられる。
【００７７】
図６に戻って、ステップＳ３において、主制御部６１は、この携帯電話機１のユーザによって発呼呼び出し設定画面（図７）の留守番電話機能利用ボタン１０１が押下されたか否かを判定する。
【００７８】
ステップＳ３において、留守番電話機能利用ボタン１０１が押下されたと判定された場合、ステップＳ４に進み、主制御部６１は、LCD制御部６６を制御し、図８に示されるようなパスワード設定画面を液晶ディスプレイ３５に表示させる。
【００７９】
図８のパスワード設定画面には、メッセージとして“発呼モードに切り替えるためのパスワードを入力して下さい”が表示され、発呼モードに切り替えるためのパスワードが入力されるパスワード入力エリア１１１が表示されている。この画面を確認したユーザが、留守番電話機能が設定されている携帯電話機１を紛失した際に発呼モードに切り替えるためのパスワード（例えば、所定桁数の数字）をパスワード入力エリア１１１に入力し、設定ボタン１１２を押下することによって、パスワードが設定される。主制御部６１は、記憶再生部７１を制御し、設定されたパスワードを半導体メモリ５１に記録させる。
【００８０】
具体的には、例えば、ユーザが、操作キー４１のうち、「１」、「２」、「３」、および「４」の数字キーを順に押下し、設定ボタン１１２を押下することにより、パスワードが“１２３４”に設定され、半導体メモリ５１に記録される。
【００８１】
これにより、携帯電話機１を紛失した際に、この携帯電話機１の所有者が、たとえば、電話機４から携帯電話機１に発信する際に設定しておいたパスワードを操作キー８６を用いて入力することにより、発呼モードに切り換えることができる。
【００８２】
図６に戻って、ステップＳ３において、この携帯電話機１のユーザが留守番電話機能利用ボタン１０１を押下していないと判定された場合、ステップＳ４の処理がスキップされ、ステップＳ５に進む。
【００８３】
ステップＳ５において、主制御部６１は、さらに、この携帯電話機１のユーザによって発呼呼び出し設定画面（図７）の留守番伝言サービス利用ボタン１０２が押下されたか否かを判定する。
【００８４】
ステップＳ５において、留守番伝言サービス１０２が押下されたと判定された場合、ステップＳ６に進み、主制御部６１は、LCD制御部６６を制御し、図９に示されるようなモード切替条件設定画面を液晶ディスプレイ３５に表示させる。
【００８５】
図９のモード切替条件設定画面には、２４時間以上着信が無い場合に発呼モードに切り替えられるような条件が設定されるボタン１２１、２４時間以上発信が無い場合に発呼モードに切り替えられるような条件が設定されるボタン１２２、および、５分間に１０回以上の着信が有る場合に発呼モードに切り替えられるような条件が設定されるボタン１２３が表示されている。この画面を確認したユーザが、通常の携帯電話機１の利用時には起こりえないような条件のボタン１２１乃至１２３のいずれかを押下（選択）し、設定ボタン１２４を押下することによって、モード切り替え条件が設定される。主制御部６１は、記憶再生部７１を制御し、設定されたモード切り替え条件を半導体メモリ５１に記録させる。
【００８６】
なお、発呼モードに切り替えるための条件として、２４時間以上着信が無い場合、２４時間以上発信が無い場合、または、５分間に１０回以上の着信が有る場合などを例として説明したが、その時間または回数などは任意に設定することが可能である。
【００８７】
図６に戻って、ステップＳ５において、この携帯電話機１のユーザが留守番伝言サービス利用ボタン１０２を押下していないと判定された場合、すなわち、終了ボタン１０３が押下されたと判定された場合、ステップＳ７に進む。
【００８８】
ステップＳ７において、主制御部６１は、LCD制御部６６を制御し、図１０または図１１に示されるようなメッセージ画面を液晶ディスプレイ３５に表示させる。なお、ステップＳ３の処理で留守番電話機能利用ボタン１０１が押下されていないと判定され、および、ステップＳ５の処理で留守番伝言サービス利用ボタン１０２が押下されていないと判定された場合、図１０に示されるメッセージ画面が表示される。一方、ステップＳ３の処理で留守番電話機能利用ボタン１０１が押下されたと判定され、および、ステップＳ４の処理でパスワードが設定され、さらに、ステップＳ５の処理で留守番伝言サービス利用ボタン１０２が押下されていないと判定された場合、図１１に示されるメッセージ画面が表示される。
【００８９】
図１０のメッセージ画面には、メッセージとして“マナーモードでこの携帯電話機を紛失した際、電子音による呼び出しができません”が表示されている。この画面を確認したユーザが、戻るボタン１３１を押下することによって、図７の発呼呼び出し設定画面に戻ることができ、また、終了ボタン１３２を押下することによって、メッセージ画面が閉じられる。
【００９０】
すなわち、このメッセージは、着信音を鳴らさないようなモードに設定された携帯電話機１を紛失してしまうと、肉眼でしか、この携帯電話機１を発見することができなくなることを意味する。
【００９１】
図１１のメッセージ画面には、メッセージとして“マナーモードでこの携帯電話機を紛失した際に、伝言件数が一杯になっていると電子音による呼び出しができません”が表示されている。この画面を確認したユーザが、戻るボタン１３１を押下することによって、図７の発呼呼び出し設定画面に戻ることができ、また、終了ボタン１３２を押下することによって、メッセージ画面が閉じられる。
【００９２】
すなわち、このメッセージは、携帯電話機１の留守番電話機能の保存可能な伝言件数を超えた際に携帯電話機１を紛失してしまうと、肉眼でしか、この携帯電話機１を発見することができなくなることを意味する。
【００９３】
図６に戻って、ステップＳ８において、主制御部６１は、この携帯電話機１のユーザによってメッセージ画面（図１０または図１１）の戻るボタン１３１が押下されたか否か、すなわち、留守番電話機能または留守番伝言サービスを利用するか否かを判定し、戻るボタン１３１が押下されたと判定した場合、ステップＳ３に戻り、上述したそれ以降の処理を繰り返す。
【００９４】
ステップＳ８において、この携帯電話機１のユーザが戻るボタン１３１を押下していないと判定された場合、すなわち、終了ボタン１３２を押下したと判定された場合、メッセージ画面が閉じられ、処理は、終了される。この場合には、マナーモードに設定されている携帯電話機１のモードを発呼モードに切り替えることはできなくなる。
【００９５】
次に、図１２および図１３のフローチャートを参照して、携帯電話機１の主制御部６１が実行する着信処理について説明する。
【００９６】
ステップＳ２１において、着信制御プログラムを実行する携帯電話機１の主制御部６１は、この携帯電話機１が留守番伝言サービスを利用しているか否かを判定し、留守番伝言サービスを利用していると判定した場合、ステップＳ２２に進み、半導体メモリ５１に記録されているモード切り替え条件に合致するか否かを判定する。
【００９７】
具体的には、上述した発呼切り替え設定処理において、図９のボタン１２１が選択されている場合には２４時間以上着信が無いか否かが判定され、ボタン１２２が選択されている場合には２４時間上発信が無いか否かが判定され、または、ボタン１２３が選択されている場合には５分間に１０回以上の着信が有るか否かが判定される。
【００９８】
ステップＳ２２において、半導体メモリ５１に記憶されているモード切り替え条件に合致すると判定された場合、ステップＳ２３に進む。
【００９９】
ステップＳ２２において、半導体メモリ５１に記憶されているモード切り替え条件に合致しないと判定された場合、ステップＳ２６に進み、主制御部６１は、電話機４などの他の電話機より着信があったか否かを判定し、電話機４などの他の電話機より着信がないと判定した場合、ステップＳ２２に戻り、上述した処理を繰り返す。
【０１００】
ステップＳ２６において、電話機４などの他の電話機より着信があったと判定された場合、ステップＳ２７に進み、主制御部６１は、この携帯電話機１が留守番電話機能を利用しているか否かを判定し、留守番電話機能を利用していると判定した場合、ステップＳ２８に進み、半導体メモリ５１に記憶されている伝言件数が許容範囲内（例えば、３件以内）であるか否かを判定する。
【０１０１】
ステップＳ２８において、伝言件数が許容範囲内であると判定された場合、ステップＳ２９に進み、主制御部６１は、ステップＳ２６の処理の着信時にパスワードを受信したか否か、すなわち、電話機４などの他の電話機から発信された際に同時にパスワードが入力されたか否かを判定し、着信時にパスワードを受信したと判定した場合、ステップＳ３０に進む。
【０１０２】
ステップＳ３０において、主制御部６１は、半導体メモリ５１に記憶されているパスワードを読み出し、ステップＳ２９の処理で受信したパスワードが一致するか否かを判定し、パスワードが一致する、すなわち、発呼モードに切り替えるためのパスワードを受信したと判定された場合、ステップＳ２３に進む。
【０１０３】
ステップＳ３０において、パスワードが一致しない、すなわち、発呼モードに切り替えるためのパスワードを受信していないと判定された場合、または、ステップＳ２９において、着信時にパスワードを受信していないと判定された場合、いずれもステップＳ３１に進む。
【０１０４】
ステップＳ３１において、主制御部６１は、変復調回路６９、送受信回路部７４、および、アンテナ３１を介して、発信元（いまの場合、電話機４）に、メッセージとして、例えば、“ただいま、電話に出ることができません。ピーという発信音の後にメッセージをお願いします”を通知（送信）する。その後、処理は、ステップＳ２２に戻り、上述したそれ以降の処理を繰り返す。
【０１０５】
ステップＳ２８において、半導体メモリ５１に記憶されている伝言件数が許容範囲内ではない（すなわち、半導体メモリ５１が記憶可能な伝言件数に達している）と判定された場合、または、ステップＳ２７において、この携帯電話機１が留守番電話機能を利用していないと判定された場合、いずれもステップＳ３２に進む。すなわち、この状態では、着信があっても留守番電話に切り替わらないので、所定時間以上の着信があった場合に自動的に留守番サービスセンタ５が応答するようになされている。
【０１０６】
ステップＳ３２において、留守番電話センタ５は、発信元（いまの場合、電話機４）に、メッセージとして、例えば、“留守番サービスセンタがメッセージをお預かりします。ピーという発信音の後にメッセージをお願いします”を通知（送信）する。その後、処理は、ステップＳ２２に戻り、上述したそれ以降の処理を繰り返す。
【０１０７】
ステップＳ２１において、この携帯電話機１が留守番伝言サービスを利用しているか否かを判定し、留守番伝言サービスを利用していないと判定した場合、ステップＳ３３に進み、主制御部６１は、電話機４などの他の電話機より着信があったか否かを判定し、電話機４などの他の電話機より着信があったと判定されるまで待機する。
【０１０８】
ステップＳ３３において、着信があったと判定された場合、ステップＳ３４に進み、主制御部６１は、この携帯電話機１が留守番電話機能を利用しているか否かを判定し、留守番電話機能を利用していると判定した場合、ステップＳ３５に進み、半導体メモリ５１に記憶されている伝言件数が許容範囲内であるか否かを判定する。
【０１０９】
ステップＳ３５において、伝言件数が許容範囲内であると判定された場合、ステップＳ３６に進み、主制御部６１は、ステップＳ３３の処理の着信時にパスワードを受信したか否か、すなわち、電話機４などの他の電話機から発信された際に同時にパスワードが入力されたか否かを判定し、着信時にパスワードを受信したと判定した場合、ステップＳ３７に進む。
【０１１０】
ステップＳ３７において、主制御部６１は、半導体メモリ５１に記憶されているパスワードを読み出し、ステップＳ３６の処理で受信したパスワードが一致するか否かを判定し、パスワードが一致する、すなわち、発呼モードに切り替えるためのパスワードを受信したと判定された場合、ステップＳ２３に進む。
【０１１１】
ステップＳ３７において、パスワードが一致しない、すなわち、発呼モードに切り替えるためのパスワードではないと判定された場合、または、ステップＳ３６において、着信時にパスワードを受信していないと判定された場合、いずれもステップＳ３８に進む。
【０１１２】
ステップＳ３８において、主制御部６１は、変復調回路６９、送受信回路部７４、および、アンテナ３１を介して、発信元に、メッセージとして、例えば、“ただいま、電話に出ることができません。ピーという発信音の後にメッセージをお願いします”を通知（送信）する。その後、処理は、ステップＳ２２に戻り、上述したそれ以降の処理を繰り返す。
【０１１３】
ステップＳ３５において、半導体メモリ５１に記憶されている伝言件数が許容範囲内ではない（すなわち、半導体メモリ５１が記憶可能な伝言件数に達している）と判定された場合、または、ステップＳ３４において、この携帯携帯電話機１が留守番電話機能を利用していないと判定された場合、いずれもステップＳ３９に進む。すなわち、この状態では、着信があっても留守番電話に切り替わらない。
【０１１４】
ステップＳ３９において、主制御部６１は、音声コーデック７０を制御し、通常の着信音をスピーカ３４に出力させる。
【０１１５】
ステップＳ２２、ステップＳ３０、またはステップＳ３７の処理の後、ステップＳ２３において、主制御部６１は、モードを発呼モードに切り替える。ステップＳ２４において、主制御部６１は、音声コーデック７０を制御し、紛失時固有の電子音（着信音）をスピーカに出力させる。これにより、この携帯電話機１の周辺にいる通行人に対して、紛失した携帯電話機１が近くに存在することを知らしめることができ、この携帯電話機１の発見を促すことができる。
【０１１６】
ステップＳ２５において、主制御部６１は、変復調回路６９および送受信回路部７４を介して、アンテナ３１を制御し、発信機能を停止させる。これにより、紛失時固有の電子音を聞いた通行人が、紛失した携帯電話機１が近くに存在することを知って悪用しようとしたとしても（例えば、その携帯電話機１を用いて発信しようとしたとしても）、発信機能が停止されているので不正に利用されることはない。
【０１１７】
以上のように、携帯電話機１の２種類の留守番電話機能に対応して、それぞれ発呼モードに切り替えるためのパスワードまたは条件を設定しておくことにより、携帯電話機１の紛失時に、この携帯電話機１の所有者のみが、自分で設定したパスワードまたは条件を利用して発呼モードに切り替えることが可能になる。
【０１１８】
また、発呼モードに切り替わった時点で、携帯電話機１の発信機能を停止させることで、不正に利用されることを防止することができる。
【０１１９】
ところで、上述したように、発呼モードに切り替わった時点で、携帯電話機１の発信機能が停止されているので、所有者は、紛失していた携帯電話機１を発見した、または手元に戻ってきた場合、発信機能の停止を解除する必要がある。その場合には、予め発信機能停止を解除するためのパスワードを設定しておくか、あるいは、発呼モード切り替えのためのパスワードと共通のパスワードにより、所有者が認証され、発信機能停止の解除を行うようにしてもよい。
【０１２０】
以上においては、留守番電話機能にパスワードを設定し、留守番伝言サービスに所定の条件を設定する例について説明したが、本発明はこれに限らず、留守番電話機能および留守番伝言サービスにそれぞれパスワードと所定の条件を設定させることも可能である。
【０１２１】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２２】
この記録媒体は、コンピュータとは別に、ユーザにプログラムを提供するために配布される、プログラムが記録されている磁気ディスク（フロッピーディスクを含む）、光ディスク（CD-ROM（Compact Disk-Read Only Memory），DVD（Digital Versatile Disk）を含む）、光磁気ディスク（MD(Mini-Disk)を含む）、もしくは図２に示した半導体メモリ５１などよりなるパッケージメディアなどにより構成される。
【０１２３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１２４】
【発明の効果】
本発明によれば、着信音が鳴らないモードに設定されている状態で携帯電話機を紛失した場合に、その携帯電話機の所有者のみが発呼モードに切り替えることができる。
【図面の簡単な説明】
【図１】本発明を適用した携帯電話機の利用例を示す図である。
【図２】図１の携帯電話機の外観の構成例を示す図である。
【図３】図２の携帯電話機の表示部の構成例を示す図である。
【図４】図２の携帯電話機の内部の構成例を示すブロック図である。
【図５】図１の電話機の内部の構成例を示すブロック図である。
【図６】発呼切り替え設定処理を説明するフローチャートである。
【図７】発呼呼び出し設定画面の表示例を示す図である。
【図８】パスワード設定画面の表示例を示す図である。
【図９】モード切替条件設定画面の表示例を示す図である。
【図１０】メッセージ画面の表示例を示す図である。
【図１１】他のメッセージ画面の表示例を示す図である。
【図１２】着信処理を説明するフローチャートである。
【図１３】図１２に続くフローチャートである。
【符号の説明】
１  携帯電話機，  ２  基地局，  ３  公衆回線網，  ４  電話機，  ５  留守番サービスセンタ，  ３１  アンテナ，  ３５  液晶ディスプレイ，  ４１  操作キー，  ５１  半導体メモリ，６１  主制御部，  ６６  LCD制御部，  ７０  音声コーデック，  ７３  記憶再生部
【図１】
0004345238.tif 000002
【図２】
0004345238.tif 000003
【図３】
0004345238.tif 000004
【図４】
0004345238.tif 000005
【図５】
0004345238.tif 000006
【図６】
0004345238.tif 000007
【図７】
0004345238.tif 000008
【図８】
0004345238.tif 000009
【図９】
0004345238.tif 000010
【図１０】
0004345238.tif 000011
【図１１】
0004345238.tif 000012
【図１２】
0004345238.tif 000013
【図１３】
0004345238.tif 000014